(57)【要約】【課題】  端末本体の形状を単純化し、かつスイッチ部の構造の簡素化を図ることができる携帯端末を提供する。【解決手段】  ユーザの手により把握可能なグリップ部１４を有する機器ケース１と、この機器ケース１の内部に設けられてグリップ部１４の裏面側で開放される電池収納部１１と、この電池収納部１１を開閉可能に覆って機器ケース１に取り付けられ、かつグリップ部１４の裏面を形成する電池蓋１０と、この電池蓋１０の内面に設けられて操作釦２０ｂが電池蓋１０の裏面から外部にスイッチ操作可能な状態で露出する下面トリガーキー２０と、を備えている。従って、機器ケース１の形状が複雑にならず、機器ケース１の形状を単純化することができると共に、下面トリガーキー２０の構造が複雑にならずに、下面トリガーキー２０の構造の簡素化を図ることができる。【選択図】        図９
2019050513.tif 000002
【特許請求の範囲】
【請求項１】
ユーザの手により把握可能なグリップ部を有する端末本体と、
前記端末本体の内部に設けられて前記グリップ部の第１の面側で開放される電池収納部と、
前記電池収納部を開閉可能に覆って前記端末本体に取り付けられ、かつ前記グリップ部の前記第１の面を形成する電池蓋と、
前記電池蓋の内面に設けられて操作釦が前記電池蓋の前記第１の面から外部にスイッチ操作可能な状態で露出するスイッチ部と、
を備えていることを特徴とする携帯端末。
【請求項２】
請求項１に記載の携帯端末において、前記グリップ部は、ユーザが一方の手の母指を前記端末本体の前記第１の面の反対側に位置する第２の面に被せ、前記ユーザの他の指が前記端末本体の脇側から前記端末本体の前記第１の面に自然に巻き付くような把握態様で、前記ユーザの手により把握可能に形成されており、
前記電池蓋には、ユーザが一方の手で前記グリップ部を前記把握態様で把握した際に、前記ユーザが把握した手の示指と中指との間に突出して配置された状態で、前記示指が押し当てられて引き寄せられる傾斜面を有する盛上り部が設けられていることを特徴とする携帯端末。
【請求項３】
請求項２に記載の携帯端末において、前記電池蓋の前記盛上り部の前記傾斜面に前記スイッチ部が対応して設けられていることを特徴とする携帯端末。
【請求項４】
請求項１〜請求項３のいずれかに記載の携帯端末において、前記電池蓋が前記電池収納部を覆って前記端末本体に取り付けられた際に、前記スイッチ部と前記端末本体の内部に設けられた回路基板とを電気的に接続する接続部を備えていることを特徴とする携帯端末。
【請求項５】
請求項１〜請求項４のいずれかに記載の携帯端末において、前記電池蓋は、前記スイッチ部と反対側に位置する端部に設けられた支点突起部を中心に開閉することを特徴とする携帯端末。
【請求項６】
請求項５に記載の携帯端末において、前記電池蓋は、前記スイッチ部側に位置する前記電池蓋の端部が取付部材によって着脱可能に前記端末本体に取り付けられていることを特徴とする携帯端末。
【請求項７】
請求項１〜請求項６のいずれかに記載の携帯端末において、前記グリップ部における前記第２の面には、キー操作部が設けられていることを特徴とする携帯端末。
【発明の詳細な説明】
【技術分野】
【０００１】
この発明は、手に持って使用する携帯端末に関する。
【背景技術】
【０００２】
例えば、手に持って使用する携帯端末においては、特許文献１に記載されているように、機器ケースの下面が湾曲形状に形成されていると共に、この機器ケースの下面に指掛突起部を設け、機器ケースの上面にユーザの保持手の母指を配置させ、機器ケースの下面に他の指を配置させて示指を指掛突起部に引っ掛けた状態で、機器ケースを片手で握るように構成されたものが知られている。
【先行技術文献】
【特許文献】
【０００３】
【特許文献１】特開平１０−１１２８９１号公報
【０００４】
この種の携帯端末は、機器ケースの上面に設けられたキー操作部上に母指を配置させ、機器ケースの下面に他の指を配置させて機器ケースを片手で握った状態で、機器ケースの下面に設けられた指掛突起部に示指をピストルの引金に掛けるのと同じように引っ掛けることにより、母指で上面の操作部を操作すると共に、下面の指掛突起部に設けられた下面スイッチを示指でスイッチ操作するように構成されている。
【０００５】
この場合、この携帯端末は、機器ケースの下面に指掛突起部が設けられていると共に、機器ケースの内部に下面スイッチが指掛突起部からスイッチ操作可能な状態で露出した状態で設けられ、この指掛突起部を除く機器ケースの下面に電池蓋が設けられた構造になっている。
【発明の概要】
【発明が解決しようとする課題】
【０００６】
このような携帯端末では、指掛突起部が下面に突出して設けられた機器ケースの内部に下面スイッチを指掛突起部から外部に露出させた状態で設けた構造であるから、機器ケースの形状が複雑になり、機器ケースの製作が面倒になるばかりか、下面スイッチを指掛突起部の傾斜面に対応させた状態で機器ケース内に組み込まなければならないため、下面スイッチの構造が複雑になるという不都合がある。
【０００７】
この発明が解決しようとする課題は、端末本体の形状を単純化し、かつスイッチ部の構造の簡素化を図ることができる携帯端末を提供することである。
【課題を解決するための手段】
【０００８】
この発明は、ユーザの手により把握可能なグリップ部を有する端末本体と、前記端末本体の内部に設けられて前記グリップ部の第１の面側で開放される電池収納部と、前記電池収納部を開閉可能に覆って前記端末本体に取り付けられ、かつ前記グリップ部の前記第１の面を形成する電池蓋と、前記電池蓋の内面に設けられて操作釦が前記電池蓋の前記第１の面から外部にスイッチ操作可能な状態で露出するスイッチ部と、を備えていることを特徴とする携帯端末である。
【発明の効果】
【０００９】
この発明によれば、端末本体の形状を単純化することができると共に、スイッチ部の構造の簡素化を図ることができる。
【図面の簡単な説明】
【００１０】
【図１】この発明を携帯端末に適用した一実施形態を示した正面図である。
【図２】図１に示された携帯端末の裏面図である。
【図３】図２に示された携帯端末を左側から見た側面図である。
【図４】図１に示された携帯端末を裏面側から見た斜視図である。
【図５】図４に示された携帯端末のＡ−Ａ矢視における断面を示した斜視図である。
【図６】図４に示された携帯端末において、電池蓋を取り外した状態を示した斜視図である。
【図７】図４に示された携帯端末の電池蓋を示し、（ａ）はその裏面側を示した斜視図、（ｂ）はその内面側を示した斜視図である。
【図８】図７（ａ）に示された電池蓋のＢ−Ｂ矢視における断面を示した斜視図である。
【図９】図５に示された携帯端末の下面トリガーキーを示した要部の拡大断面図である。
【図１０】図４に示された携帯端末のＣ−Ｃ矢視における拡大断面図である。
【発明を実施するための形態】
【００１１】
以下、図１〜図１０を参照して、この発明を適用した携帯端末の一実施形態について説明する。
この携帯端末は、図１〜図５に示すように、端末本体である機器ケース１を備えている。この機器ケース１は、縦方向（図１では上下方向）に長い縦長のほぼ長方形状に形成されている。
【００１２】
この機器ケース１は、図１〜図４に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１３】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１４】
この場合、上部ケース２の上面である表面における上辺側の幅広部には、図１および図５に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１５】
この表示部４は、図１および図５に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１６】
下部ケース３は、図２〜図４に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１７】
この光学読取部６は、図２〜図５に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１８】
これにより、光学読取部６は、図２〜図５に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００１９】
また、機器ケース１の縦方向（長手方向）におけるほぼ中間部、つまり幅広部１ａと幅狭部１ｂとの境界部側に位置する幅広部１ａの両側部には、図１〜図５に示すように、側面トリガーキー８がそれぞれ設けられている。これら側面トリガーキー８およびキー操作部５の上面トリガーキー５ａは、光学読取部６による読取動作を実行させるためのものである。
【００２０】
さらに、この機器ケース１の下辺部側に位置する幅狭部１ｂには、図２〜図６に示すように、電池蓋１０で覆われる電池収納部１１がキー操作部５に対応して設けられている。この電池収納部１１は、充電池１２を収納するものであり、機器ケース１の幅狭部１ｂに設けられたキー操作部５に対応した状態で、機器ケース１の幅狭部１ｂの内部に設けられ、機器ケース１の裏面に設けられた開口部１１ａによって裏面側に開放されている。
【００２１】
この場合、電池収納部１１と光学読取部６との間に位置する下部ケース３の裏面には、図２および図４に示すように、電池収納部１１を開閉可能に覆う電池蓋１０を下部ケース３に着脱可能に取り付けるための一対の取付レバー１３が設けられている。すなわち、一対の取付レバー１３は、機器ケース１の両側部に設けられた側面トリガーキー８の近傍に設けられている。これら一対の取付レバー１３は、これらを回転操作させて、電池蓋１０の上辺部の縁部を下部ケース３の裏面に係脱可能に係止させるように構成されている。
【００２２】
これにより、電池蓋１０は、図２、図４および図５に示すように、電池収納部１１の開口部１１ａを開閉可能に覆った状態で、上辺部の縁部が一対の取付レバー１３によって係止されることにより、電池収納部１１の下辺部側から後述する下面トリガーキー２０を超えた状態で、下部ケース３の裏面に取り付けられるように構成されている。また、この電池蓋１０は、その下辺部側の端部に支点突起部１０ａが設けられ、この支点突起部１０ａを支点として回転することにより、電池収納部１１を開閉するように構成されている。
【００２３】
ところで、機器ケース１の下辺部側に位置する幅狭部１ｂには、図１〜図４に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２４】
すなわち、このグリップ部１４は、図１〜図４に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２５】
これにより、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００２６】
このため、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様でユーザが一方の手で機器ケース１を保持した際に、ユーザの把握手がフィットすることにより、ユーザの手の大きさに係わらず、ユーザが片手で握り易い形状に形成されている。
【００２７】
また、このグリップ部１４のうち、裏面に位置する電池蓋１０には、図２〜図５に示すように、ユーザが母指Ｆ１を機器ケース１の表面に被せ機器ケース１の脇側から延ばした他の指Ｆ２〜Ｆ５で機器ケース１の裏面を支えるような把握態様でユーザが一方の手で機器ケース１を保持した際に、ユーザが把握する手の示指Ｆ２と中指Ｆ３との間に膨らみを持たせる形状に盛り上がる盛上り部１５が設けられている。
【００２８】
この場合、機器ケース１の裏面には、図２〜図５に示すように、えぐれ部１６がグリップ部１４とこのグリップ部１４の延長上に位置する機器ケース１の他端部側との間に窪んで設けられている。すなわち、このえぐれ部１６は、電池蓋１０の盛上り部１５と光学読取部６の読取突起部６ａとの間に窪んだ状態で設けられている。
【００２９】
これにより、えぐれ部１６は、図２〜図５に示すように、ユーザがキー操作部５を母指Ｆ１で操作すべく、ユーザが母指Ｆ１を機器ケース１の表面に被せ機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２がグリップ部１４側に位置するえぐれ部１６の斜面に配置されるように構成されている。
【００３０】
この場合、盛上り部１５は、図２〜図５に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２と中指Ｆ３との間に位置する山形状の頭頂部１５ａを有している。この頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００３１】
すなわち、この頭頂部１５ａは、図２〜図５に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この盛上り部１５は、頭頂部１５ａの一方側の裾野である第１の指掛領域１７と、頭頂部１５ａの他方側の裾野である第２の指掛領域１８と、を備えている。
【００３２】
第１の指掛領域１７は、図２〜図５に示すように、ユーザが上述した把握態様でグリップ部１４を把握した際に、示指Ｆ２が押し当てられる斜面であり、電池蓋１０の上辺部側から頭頂部１５ａに向けて急な傾斜面に形成されている。第２の指掛領域１８は、ユーザが上述した把握態様でグリップ部１４を把握した際に、中指Ｆ３〜小指Ｆ５が押し当てられる斜面であり、頭頂部１５ａから電池蓋１０の下辺側に向けて緩やかに傾斜する傾斜面に形成されている。
【００３３】
すなわち、第１の指掛領域１７は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が電池蓋１０の縦方向（長手方向）における下辺部側、つまりユーザが把握する手側に向けて押し当てられて配置されるような傾斜面に形成されている。
【００３４】
この第１の指掛領域１７は、図２〜図５に示すように、グリップ部１４側に位置するえぐれ部１６の傾斜面であり、電池蓋１０の上辺側に位置する上辺側から頭頂部１５ａに向けて急な角度で立ち上る傾斜面に形成されている。また、この第１の指掛領域１７は、機器ケース１の縦方向（長手方向）と直交する横方向に連続する頭頂部１５ａに沿って示指Ｆ２の屈曲状態に対応する円弧状に湾曲して形成されている。
【００３５】
このため、この盛上り部１５は、図２〜図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を握った際に、ユーザの示指Ｆ２が第１の指掛領域１７の湾曲に沿って屈曲した形状で、その示指Ｆ２の腹が第１の指掛領域１７に押し当てられ、この状態で第１の指掛領域１７を機器ケース１の縦方向における下辺部側、つまりユーザが把握する手側に向けて引き寄せるように構成されている。
【００３６】
一方、第２の指掛領域１８は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、ユーザが把握する手の他の指Ｆ３〜Ｆ５の各腹がグリップ部１４の電池蓋１０を機器ケース１に向けて押し当てて、ユーザの中指Ｆ３〜小指Ｆ５が並んだ状態で自然に曲がるような湾曲面に形成されている。
【００３７】
すなわち、この第２の指掛領域１８は、図２〜図４に示すように、頭頂部１５ａから電池蓋１０の下辺側に向けて緩やかに傾斜する湾曲面に形成されている。これにより、この第２の指掛領域１８は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００３８】
さらに、この機器ケース１は、図１〜図５に示すように、グリップ部１４が機器ケース１の横方向における中心位置を軸にして左右対称な形状で形成されている。これにより、この機器ケース１は、ユーザがグリップ部１４を握る際に、ユーザが右手でも、また左手でも、同じように握れるように構成されている。
【００３９】
ところで、電池蓋１０は、図４〜図６に示すように、盛上り部１５の第１の指掛領域１７から上辺側に向けて延長された延長部１７ａが、下部ケース３に設けられた蓋保持部２３の裏面に配置されて保持されるように構成されている。すなわち、この蓋保持部２３は、第１の指掛領域１７の延長部１７ａとほぼ同じ形状に形成されている。
【００４０】
また、この電池蓋１０は、図４〜図６に示すように、第１の指掛領域１７の延長部１７ａの縁部が一対の取付レバー１３によって機器ケース１の下部ケース３に着脱可能に取り付けられている。この場合、電池蓋１０は、機器ケース１の下辺部側の端部に支点突起部１０ａが設けられ、この支点突起部１０ａを支点として回転することにより、電池収納部１１を開閉可能に覆うように構成されている。
【００４１】
すなわち、この電池蓋１０は、図４〜図６に示すように、支点突起部１０ａを電池収納部１１内の下辺部側に挿入させて係止させた状態で、この支点突起部１０ａを中心に回転させて電池収納部１１を覆った際に、第１の指掛領域１７の延長部１７ａが下部ケース３に設けられた蓋保持部２３の裏面に配置されて保持され、この延長部１７ａの縁部が一対の取付レバー１３によって下部ケース３に取り付けられるように構成されている。
【００４２】
また、この電池蓋１０の第１の指掛領域１７の内部には、図５、図９および図１０に示すように、下面トリガーキー２０が設けられている。すなわち、下面トリガーキー２０は、電池蓋１０にその外部に向けて膨らみを持って盛り上がるように設けられた盛上り部１５内の空間を利用して、この盛上り部１５の第１の指掛領域１７の内部に設けられている。この下面トリガーキー２０は、キー操作部５の上面トリガーキー５ａおよび側面トリガーキー８と同様、光学読取部６による読取動作を実行させるためのものである。
【００４３】
この下面トリガーキー２０は、図５、図９および図１０に示すように、スイッチ本体２０ａと操作釦２０ｂとスイッチ保持部２０ｃとを備えている。すなわち、この下面トリガーキー２０のスイッチ保持部２０ｃは、電池蓋１０の第１の指掛領域１７内に配置された状態で、電池蓋１０の内面にビス２３ａによって取り付けられている。スイッチ本体２０ａは、第１の指掛領域１７の傾斜面と平行に傾斜した状態で、スイッチ保持部２０ｃに保持されている。
【００４４】
このスイッチ本体２０ａは、図９および図１０に示すように、スイッチ基板２５とゴムシート２６とばね部２７とを備えている。スイッチ基板２５は、フレキシブルな配線基板であり、その表面に一対の接点（図示せず）が設けられ、第１の指掛領域１７の傾斜面と平行に傾斜した状態で、スイッチ保持部２０ｃに配置されている。
【００４５】
また、このスイッチ基板２５は、図９および図１０に示すように、スイッチ保持部２０ｃの上面から側面を経て下面に延長され、この下面に延長された箇所が機器ケース１内に設けられた回路基板２２に対面し、この対面した箇所が接続部である接点ばね２２ａによって回路基板２２に接離可能に接触して電気的に接続されるように構成されている。
【００４６】
この場合、接点ばね２２ａは、図５、図９および図１０に示すように、回路基板２２に設けられている。このため、スイッチ基板２５は、電池蓋１０が支点突起部１０ａを支点として下面トリガーキー２０と共に回転して電池収納部１１を覆う際に、スイッチ保持部２０ｃの下面に延長された箇所のスイッチ基板２５が接点ばね２２ａに接離可能に接触することにより、回路基板２２と電気的に接続されるように構成されている。
【００４７】
ゴムシート２６は、図９および図１０に示すように、スイッチ基板２５上に配置されている。このゴムシート２６は、スイッチ基板２５に対向する対向面に凹部２６ａが設けられ、この凹部２６ａ内に凸部２６ｂがスイッチ基板２５の一対の接点に対応して設けられている。これにより、ゴムシート２６は、操作釦２０ｂによって押圧された際に、凹部２６ａに対する箇所が弾性変形して、凸部２６ｂがスイッチ基板２５の接点に向けて変位するように構成されている。
【００４８】
ばね部２７は、図９および図１０に示すように、ほぼ円形状の皿ばねであり、スイッチ基板２５とゴムシート２６との間に配置されている。このばね部２７は、皿ばねの表裏を反転させた状態、つまり皿ばねの表面の周縁部をスイッチ基板２５上に配置させて皿ばねの表面の中央部をスイッチ基板２５の一対の接点の上方に浮かせた状態で、スイッチ基板２５上に配置されている。
【００４９】
これにより、ばね部２７は、図９および図１０に示すように、ゴムシート２６が操作釦２０ｂによって押圧されて、ゴムシート２６の凹部２６ａに対する箇所が弾性変形した際に、ゴムシート２６の凸部２６ｂによって押圧されて弾性変形して、スイッチ基板２５の一対の接点に接触して一対の接点を導通させるように構成されている。この場合、ばね部２７は、スイッチ基板２５の一対の接点を導通させる際に、急激な弾性変形をして、ユーザの把握手の示指Ｆ２にクリック感を付与するように構成されている。
【００５０】
操作釦２０ｂは、図５、図９および図１０に示すように、第１の指掛領域１７の傾斜面と平行に傾斜した状態でスイッチ本体２０ａ上に配置され、電池蓋１０の第１の指掛領域１７に設けられた釦挿入孔２１内に配置されている。これにより、操作釦２０ｂは、機器ケース１の外部から押圧操作された際に、スイッチ本体２０ａをオン動作させるように構成されている。
【００５１】
すなわち、この操作釦２０ｂは、図５および図９に示すように、第１の指掛領域１７の傾斜面に対してほぼ直交する法線方向に押圧操作された際に、電池蓋１０の内部に向けて押し込まれて、ゴムシート２６を介してばね部２７を弾性変形させることにより、スイッチ本体２０ａをオン動作させるように構成されている。この場合、操作釦２０ｂは、電池蓋１０の外部に突出しない状態、つまり第１の指掛領域１７の外面とほぼ同じ面に位置した状態で、第１の指掛領域１７の釦挿入孔２１内に配置されている。
【００５２】
このため、下面トリガーキー２０は、図５、図９および図１０に示すように、ユーザが機器ケース１のグリップ部１４を一方の手で握った際に、ユーザが把握する手の示指Ｆ２が屈曲した形状で示指Ｆ２の腹が第１の指掛領域１７にその湾曲に沿って押し当てられ、この状態で盛上り部１５をその下辺部側つまりユーザが把握する手側に向けて引き寄せても、操作釦２０ｂが示指Ｆ２の腹で押し込まれることがなく、スイッチ本体２０ａがオン動作しないように構成されている。
【００５３】
また、この下面トリガーキー２０は、図５、図９および図１０に示すように、ユーザが機器ケース１のグリップ部１４を一方の手で握り、ユーザが把握する手の示指Ｆ２の腹が第１の指掛領域１７にその湾曲に沿って押し当てられた状態で、示指Ｆ２の腹が盛上り部１５をユーザの把握する手側に向けて引き寄せられて、示指Ｆ２の腹が釦挿入孔２１に強く押し込まれると、操作釦２０ｂが示指Ｆ２の腹によって押し込まれてスイッチ本体２０ａがクリック感をもってオン動作するように構成されている。
【００５４】
次に、このような携帯端末の作用について説明する。
この携帯端末を使用する場合には、まず、電池蓋１０の内面に下面トリガーキー２０を取り付ける。すなわち、電池蓋１０はその外部に向けて膨らみを持って盛り上がるように盛上り部１５が形成されている。このため、この盛上り部１５の空間を利用して、盛上り部１５の第１の指掛領域１７の内部に下面トリガーキー２０を取り付ける。
【００５５】
このときには、予め、下面トリガーキー２０のスイッチ保持部２０ｃにスイッチ本体２０ａを取り付ける。すなわち、スイッチ本体２０ａのゴムシート２６とばね部２７とをスイッチ基板２５の上面に設け、このスイッチ基板２５をスイッチ保持部２０ｃの上面から側面を経てスイッチ保持部２０ｃの下面に亘って配置させる。
【００５６】
この状態で、スイッチ保持部２０ｃを電池蓋１０の内面に配置する際には、電池蓋１０の釦挿入孔２１に操作釦２０ｂを内側から配置させ、この操作釦２０ｂにスイッチ本体２０ａを押し付けた状態で、スイッチ保持部２０ｃを電池蓋１０の内面にビス２３ａによって取り付ける。これにより、下面トリガーキー２０が電池蓋１０の内面に取り付けられる。
【００５７】
そして、この下面トリガーキー２０が取り付けられた電池蓋１０を機器ケース１の裏面に取り付けて、機器ケース１の幅狭部１ｂに設けられた電池収納部１１を覆う。このときには、電池蓋１０の下辺部の支点突起部１０ａを電池収納部１１の下辺側の内部に挿入させて係止させ、この係止された電池蓋１０の支点突起部１０ａを支点として、電池蓋１０を下面トリガーキー２０と共に回転させて、電池蓋１０の上辺部の延長部１７ａを下部ケース３の蓋保持部２３上に配置させる。
【００５８】
すると、電池蓋１０の延長部１７ａの縁部が、下部ケース３の裏面に設けられた一対の取付レバー１３に対応する。このため、これら一対の取付レバー１３を回転操作させることにより、一対の取付レバー１３によって電池蓋１０の縁部が下部ケース３の裏面に押し付けられて係止される。これにより、電池蓋１０が電池収納部１１を覆って下部ケース３の裏面に取り付けられる。
【００５９】
このときには、下面トリガーキー２０のスイッチ基板２５が接点ピン２２ａによって回路基板２２と電気的に接続される。すなわち、下面トリガーキー２０のスイッチ本体２０ａのスイッチ基板２５は、電池蓋１０が電池収納部１１を覆って下部ケース３の裏面に取り付けられる際に、スイッチ保持部２０ｃの下面に延長されて配置された箇所のスイッチ基板２５が回路基板２２に設けられた接点ピン２２ａに接触することにより、回路基板２２と電気的に接続される。
【００６０】
このような携帯端末を使用する場合には、電池蓋１０が位置する箇所のグリップ部１４をユーザが一方の手で握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１４を把握する。
【００６１】
このときには、母指Ｆ１が機器ケース１の表面のキー操作部５上に配置され、ユーザが把握する手の示指Ｆ２と中指Ｆ３との間に膨らみを持たせる形状の盛上り部１５の頭頂部１５ａが配置され、この状態で示指Ｆ２の腹が機器ケース１の裏面側に位置する電池蓋１０の盛上り部１５における第１の指掛領域１７に押し当てられ、他の指Ｆ３〜Ｆ５の各腹が盛上り部１５の第２の指掛領域１８上に配置される。
【００６２】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１０の盛上り部１５における第１の指掛領域１７の傾斜面に押し当て、この状態で第１の指掛領域１７を機器ケース１の下辺部側つまりユーザが把握する手側に向けて、その把握手の示指Ｆ２を引き寄せる。
【００６３】
この場合、示指Ｆ２の腹が電池蓋１０の盛上り部１５における第１の指掛領域１７の傾斜面に押し当てられ、機器ケース１の下辺部側つまりユーザが把握する手側に向けて引き寄せられると、示指Ｆ２が第１の指掛領域１７にその湾曲に沿って自然な状態で屈曲して押し当てられる。
【００６４】
このときには、ユーザが把握する手の示指Ｆ２が第１の指掛領域１７にその湾曲に沿って屈曲した形状で押し当てられても、示指Ｆ２の腹が第１の指掛領域１７の釦挿入孔２１に深く食い込むことがない。このため、操作釦２０ｂが示指Ｆ２の腹によって押し込まれることがないので、スイッチ本体２０ａがオン動作することがない。
【００６５】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が盛上り部１５の第２の指掛領域１８上に押し当てられる。この状態では、指Ｆ３〜Ｆ５が第２の指掛領域１８の湾曲に沿って自然に曲がった状態で並んで配置される。
【００６６】
これにより、ユーザが把握する手の示指Ｆ２と中指Ｆ３との間に、膨らみを持たせる形状の盛上り部１５の頭頂部１５ａが配置された状態で、中指Ｆ３〜小指Ｆ５が盛上り部１５の第２の指掛領域１８を包み込むように自然に曲がって状態で第２の指掛領域１８に並んで配置される。このため、指Ｆ３〜Ｆ５が第２の指掛領域１８の湾曲面に沿って安定した状態で良好に配置される。これによって、ユーザが片手で機器ケース１のグリップ部１４を確実にかつ良好に把握することができる。
【００６７】
このように、ユーザが機器ケース１のグリップ部１４を握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００６８】
また、ユーザが機器ケース１のグリップ部１４を片手で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、機器ケース１のグリップ部１４を片手で握った際に、ユーザの把握手がグリップ部１４にフィットする。
【００６９】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができると共に、母指Ｆ１を機器ケース１の側面に移動させて、側面トリガーキー８をキー操作することができる。
【００７０】
また、ユーザが機器ケース１のグリップ部１４を握った際には、示指Ｆ２が盛上り部１５の第１の指掛領域１７の傾斜面に配置されるので、この第１の指掛領域１７の傾斜面に設けられた釦挿入孔２１に挿入された下面トリガーキー２０の操作釦２０ｂにユーザの把握手の示指Ｆ２が配置され、この状態で下面トリガーキー２０の操作釦２０ｂを示指Ｆ２で容易に操作することができる。
【００７１】
すなわち、ユーザが機器ケース１のグリップ部１４を片手で握った際には、ユーザが把握する手の示指Ｆ２が屈曲した形状で、その示指Ｆ２の腹が第１の指掛領域１７にその湾曲に沿って押し当てられて、第１の指掛領域１７を機器ケース１の下辺部側つまりユーザが把握する手側に向けて引き寄せた状態で、ユーザが把握する手の示指Ｆ２の腹を釦挿入孔２１に強く押し込むことができる。
【００７２】
そして、下面トリガーキー２０の操作釦２０ｂが示指Ｆ２の腹によって押し込まれると、スイッチ本体２０ａのゴムシート２６の凸部２６ｂがばね部２７を押圧し、ばね部２７を弾性変形させることにより、ユーザが把握する手の示指Ｆ２にクリック感を付与して、ばね部２７がスイッチ基板２５の接点に接触して接点を導通させる。これにより、下面トリガーキー２０のスイッチ本体２０ａがオン動作する。
【００７３】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００７４】
このように、この携帯端末によれば、ユーザの手により把握可能なグリップ部１４を有する端末本体である機器ケース１と、この機器ケース１の内部に設けられてグリップ部１４の第１の面である裏面側に開放される電池収納部１１と、この電池収納部１１を開閉可能に覆って機器ケース１に取り付けられ、かつグリップ部１４の裏面を形成する電池蓋１０と、この電池蓋１０の内面に設けられて操作釦２０ｂが電池蓋１０の裏面から外部にスイッチ操作可能な状態で露出する下面トリガーキー２０と、を備えていることにより、機器ケース１の形状を単純化し、かつ下面トリガーキー２０の構造の簡素化を図ることができる。
【００７５】
すなわち、この携帯端末では、グリップ部１４の裏面側を形成する電池蓋１０に下面トリガーキー２０を設けているので、機器ケース１の形状が複雑にならず、機器ケース１の形状を単純化することができ、これにより機器ケース１を容易に製作することができると共に、下面トリガーキー２０の構造が複雑にならずに、下面トリガーキー２０の構造の簡素化を図ることができ、これにより下面トリガーキー２０を電池蓋１０に容易に組み付けることができる。
【００７６】
この場合、グリップ部１４は、ユーザが一方の手の母指Ｆ１を機器ケース１の表面に被せ、ユーザの他の指Ｆ２〜Ｆ５が機器ケース１の脇側から機器ケース１の裏面に自然に巻き付くような把握態様で、ユーザの手により把握可能に形成されていることにより、ユーザが一方の手で機器ケース１を保持する際に、ユーザの手をグリップ部１４にフィットさせて、グリップ部１４を良好に握ることができる。
【００７７】
また、電池蓋１０には、ユーザが一方の手でグリップ部１４を上述した把握態様で把握した際に、ユーザが把握した手の示指Ｆ２と中指Ｆ３との間に突出して配置された状態で、示指Ｆ２が押し当てられて引き寄せられる傾斜面を有する盛上り部１５が設けられていることにより、電池蓋１０に盛上り部１５を設けても、電池蓋１０を容易に製作することができるので、グリップ部１４を有する機器ケース１の形状が複雑にならず、機器ケース１の形状を単純化することができる。
【００７８】
また、この携帯端末では、電池蓋１０の盛上り部１５における第１の指掛領域１７の傾斜面に下面トリガーキー２０が対応して設けられていることにより、ユーザが母指Ｆ１を機器ケース１の表面に被せ、ユーザの他の指Ｆ２〜Ｆ５が機器ケース１の脇側から機器ケース１の裏面に自然に巻き付くような把握態様で、ユーザの示指Ｆ２で下面トリガーキー２０を容易にかつ良好にスイッチ操作させることができる。
【００７９】
また、この携帯端末では、電池蓋１０が電池収納部１１を覆って機器ケース１に取り付けられた際に、下面トリガーキー２０と機器ケース１の内部に設けられた回路基板２２とを接離可能に電気的に接続する接続部である接点ピン２２ａを備えているので、電池収納部１１を開閉可能に覆う電池蓋１０に下面トリガーキー２０を設けても、接点ピン２２ａによって下面トリガーキー２０を機器ケース１内の回路基板２２と確実にかつ良好に電気的に接続することができる。
【００８０】
すなわち、下面トリガーキー２０は、スイッチ本体２０ａと操作釦２０ｂとスイッチ保持部２０ｃとを備えており、スイッチ本体２０ａが、スイッチ基板２５とゴムシート２６とばね部２７とを備え、スイッチ基板２５がスイッチ保持部２０ｃの上面から側面を経てスイッチ保持部２０ｃの下面に亘って配置されていることにより、電池蓋１０が電池収納部１１を覆って下部ケース３の裏面に取り付けられる際に、スイッチ保持部２０ｃの下面に配置された箇所のスイッチ基板２５を接点ピン２２ａによって回路基板２２に簡単にかつ確実に電気的に接続することができる。
【００８１】
この場合、電池蓋１０は、下面トリガーキー２０と反対側に位置する下辺部の端部に設けられた支点突起部１０ａを中心に開閉することにより、支点突起部１０ａを中心に電池蓋１０を良好に回転させることができるので、電池蓋１０によって電池収納部１１の開口部１１ａを確実にかつ良好に覆うことができると共に、電池蓋１０の開閉操作が容易にできる。
【００８２】
また、この電池蓋１０は、下面トリガーキー２０側に位置する電池蓋１０の延長部１７ａの縁部が一対の取付レバー１３によって着脱可能に機器ケース１に取り付けられていることにより、電池蓋１０が電池収納部１１の開口部１１ａを覆った際に、一対の取付レバー１３によって電池蓋１０の延長部１７ａの縁部を機器ケース１に押え付けて係止させることができるので、簡単にかつ確実に電池蓋１０を機器ケース１に取り付けることができる。
【００８３】
さらに、この携帯端末では、グリップ部１４における表面に複数のキーが配置列されたキー操作部５が設けられていることにより、ユーザが母指Ｆ１を機器ケース１の表面に被せ、ユーザの他の指Ｆ２〜Ｆ５が機器ケース１の脇側から機器ケース１の裏面に自然に巻き付くような把握態様で、ユーザが手でグリップ部１４を把握した状態で、母指Ｆ１をキー操作部５上において自由に移動させて、キー操作部５を良好にキー操作することができる。
【００８４】
なお、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【００８５】
また、上述した実施形態では、下面トリガーキー２０のスイッチ本体２０ａのスイッチ基板２５を接点ピン２２ａで回路基板２２に電気的に接続した場合について述べたが、この発明は、これに限らず、スイッチ基板２５と回路基板２２とをコネクタで電気的に接続するようにしても良い。
【００８６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８７】
（付記）
請求項１に記載の発明は、ユーザの手により把握可能なグリップ部を有する端末本体と、前記端末本体の内部に設けられて前記グリップ部の第１の面側で開放される電池収納部と、前記電池収納部を開閉可能に覆って前記端末本体に取り付けられ、かつ前記グリップ部の前記第１の面を形成する電池蓋と、前記電池蓋の内面に設けられて操作釦が前記電池蓋の前記第１の面から外部にスイッチ操作可能な状態で露出するスイッチ部と、を備えていることを特徴とする携帯端末である。
【００８８】
請求項２に記載の発明は、請求項１に記載の携帯端末において、前記グリップ部は、ユーザが一方の手の母指を前記端末本体の前記第１の面の反対側に位置する第２の面に被せ、前記ユーザの他の指が前記端末本体の脇側から前記端末本体の前記第１の面に自然に巻き付くような把握態様で、前記ユーザの手により把握可能に形成されており、前記電池蓋には、ユーザが一方の手で前記グリップ部を前記把握態様で把握した際に、前記ユーザが把握した手の示指と中指との間に突出して配置された状態で、前記示指が押し当てられて引き寄せられる傾斜面を有する盛上り部が設けられていることを特徴とする携帯端末である。
【００８９】
請求項３に記載の発明は、請求項２に記載の携帯端末において、前記電池蓋の前記盛上り部の前記傾斜面に前記スイッチ部が対応して設けられていることを特徴とする携帯端末である。
【００９０】
請求項４に記載の発明は、請求項１〜請求項３のいずれかに記載の携帯端末において、前記電池蓋が前記電池収納部を覆って前記端末本体に取り付けられた際に、前記スイッチ部と前記端末本体の内部に設けられた回路基板とを電気的に接続する接続部を備えていることを特徴とする携帯端末である。
【００９１】
請求項５に記載の発明は、請求項１〜請求項４のいずれかに記載の携帯端末において、前記電池蓋は、前記スイッチ部と反対側に位置する端部に設けられた支点突起部を中心に開閉することを特徴とする携帯端末である。
【００９２】
請求項６に記載の発明は、請求項５に記載の携帯端末において、前記電池蓋は、前記スイッチ部側に位置する前記電池蓋の端部が取付部材によって着脱可能に前記端末本体に取り付けられていることを特徴とする携帯端末である。
【００９３】
請求項７に記載の発明は、請求項１〜請求項６のいずれかに記載の携帯端末において、前記グリップ部における前記第２の面には、キー操作部が設けられていることを特徴とする携帯端末である。
【符号の説明】
【００９４】
１  機器ケース
２  上部ケース
３  下部ケース
４  表示部
５  キー操作部
１０  電池蓋
１０ａ  支点突起部
１１  電池収納部
１１ａ  開口部
１３  取付レバー
１４  グリップ部
１５  盛上り部
１５ａ  頭頂部
１７  第１の指掛領域
１７ａ  延長部
１８  第２の指掛領域
２０  下面トリガーキー
２０ａ  スイッチ本体
２０ｂ  操作釦
２０ｃ  スイッチ保持部
２１  釦挿入孔
２２  回路基板
２２ａ  接点ピン
２３  蓋保持部
２５  スイッチ基板
２６  ゴムシート
２７  ばね部
【図１】
2019050513.tif 000003
【図２】
2019050513.tif 000004
【図３】
2019050513.tif 000005
【図４】
2019050513.tif 000006
【図５】
2019050513.tif 000007
【図６】
2019050513.tif 000008
【図７】
2019050513.tif 000009
【図８】
2019050513.tif 000010
【図９】
2019050513.tif 000011
【図１０】
2019050513.tif 000012